(57)【要約】【課題】防水対策を施したケーブル集合体および防水対策を施した電子機器を提供する。【解決手段】ケーブルアッセイ２は、少なくとも一本のケーブルが挿通された、少なくとも摺動性のチューブ２２と、チューブ２２の外装面を覆うように、チューブ２２と少なくとも２層構造を形成し、チューブ２２よりも柔軟性の高い外装材２３とを有する。外装材２３で覆われたチューブ２２の断面は、円形に形成されている。【選択図】図５
2010073433.tif 000002
【特許請求の範囲】
【請求項１】
少なくとも一本のケーブルが挿通された、少なくとも摺動性のチューブと、
前記チューブの外装面を覆うように当該外装面に形成され、前記チューブと少なくとも２層構造を形成し、前記チューブよりも柔軟性の高い外装材と
を有し、
前記外装材で覆われた前記チューブの断面は、円形に形成されている
ケーブル集合体。
【請求項２】
前記外装材で覆われた前記チューブの一部に、前記チューブの長手方向に所定間隔をおいて形成された第１および第２のパッキングとを有し、
前記第１および第２のパッキングは、
取り付けの対象体に形成された孔部の形状に合致するように形成されている
請求項１記載のケーブル集合体。
【請求項３】
前記第１および第２のパッキングは、
前記外装材と同種の素材で形成されている
請求項２に記載のケーブル集合体。
【請求項４】
前記チューブは、
前記ケーブルの表皮の素材と同種の素材で形成されている
請求項１から３のいずれか一に記載のケーブル集合体。
【請求項５】
前記外装材で覆われた前記チューブは、
前記第１および第２のパッキングの周辺部が扁平に形成されている
請求項２から４のいずれか一に記載のケーブル集合体。
【請求項６】
取り付けの対象となる第１の孔部が形成され、電子部品が配置された第１の筐体と、
取り付けの対象となる第２の孔部が形成され、電子部品が配置された第２の筐体と、
一端が前記第１の孔部を介して前記第１の筐体の電子部品に接続され、他端が前記第２の孔部を介して前記第２の筐体の電子部品に接続されたケーブル集合体と
を有し、
前記ケーブル集合体は、
少なくとも一本のケーブルが挿通された、少なくとも摺動性のチューブと、
前記チューブの外装面を覆うように当該外装面に形成され、前記チューブと少なくとも２層構造を形成し、前記チューブよりも柔軟性の高い外装材と
を有し、
前記外装材で覆われた前記チューブの断面は、円形に形成されている
電子機器。
【請求項７】
前記ケーブル集合体は、
前記外装材で覆われた前記チューブの一部に、前記チューブの長手方向に所定間隔をおいて形成された第１および第２のパッキングとを有し、
前記第１のパッキングは、
前記第１の筐体の前記第１の孔部の形状に合致するように形成され、
前記第２のパッキングは、
前記第２の筐体の前記第２の孔部の形状に合致するように形成されている
請求項６記載の電子機器。
【請求項８】
前記第１および第２のパッキングは、
前記外装材と同種の素材で形成されている
請求項７記載の電子機器。
【請求項９】
前記チューブは、
前記ケーブルの表皮の素材と同種の素材で形成されている
請求項６から８のいずれか一に記載の電子機器。
【請求項１０】
前記外装材で覆われた前記チューブは、
前記第１および第２のパッキングの周辺部が扁平に形成されている
請求項７から９のいずれか一に記載の電子機器。
【発明の詳細な説明】
【技術分野】
【０００１】
本発明は、ケーブルアッセイ（Cable Assembly）等のケーブル集合体および電子機器に関するものである。
【背景技術】
【０００２】
２つの筐体がヒンジ部に連結され、２つの筐体を開閉することができる折りたたみ型（フォルダ型ともいう）の携帯端末が広く普及している。これらの携帯端末には、防水対策が施されているものも多い（たとえば特許文献１参照）。
【０００３】
折りたたみ型の携帯端末では、一方の筐体（第１筐体とする）にバッテリやキー等の電子部品が配置され、他方の筐体（第２筐体とする）に液晶ディスプレイ等の電子部品が配置されている。これら２つの筐体に配置された電子部品は、薄く、柔軟性があるＦＰＣ（Flexible Printed Circuits;フレキシブルプリント基板）によって接続されていることが多い。
【０００４】
ＦＰＣは、複数の信号線が規定の間隔を隔てて併設され、これらの信号線の周囲が絶縁性のフィルム等で覆われるように薄く加工されている。ＦＰＣの両端にはコネクタが接続され、一端のコネクタは第１筐体内部の接続端子に、他端のコネクタは第２筐体内部の接続端子に接続されている。このとき、ヒンジ部には、ＦＰＣが納められている。
【特許文献１】特開２００８−１３０５１９号公報
【発明の開示】
【発明が解決しようとする課題】
【０００５】
ＦＰＣは、薄く柔軟性に富む反面、電気信号の乱れによる電子部品の誤動作を引き起こし、携帯端末自身に悪影響を与える恐れがある。このような電気信号の乱れは、各信号線が隣接して併走しているために引き起こされやすく、電気信号が高周波になる程、その乱れは著しい。ＦＰＣは、外部からの電磁波による影響も受けやすい。
【０００６】
電気信号の乱れを防止するためには、ケーブルアッセイ（「ケーブルＡＳＳＹ」、「ケーブルアッシ」等とも表記される）を用いて、第１筐体の電子部品と第２筐体の電子部品とを接続することが望ましい。一般的なケーブルアッセイの一例を図１２に図示する。
【０００７】
図１２は、一般的なケーブルアッセイの外観例を示す斜視図である。
【０００８】
図１２に図示するように、ケーブルアッセイ３は、複数のケーブル３１が束ねられ、これらのケーブル３１の両端にコネクタ３２が接続されたものである。各々のコネクタ３２の近傍には、パッキング３３が取り付けられている。各々のパッキング３３は、第１、第２筐体の孔部に嵌合され、各々のコネクタ３２は、第１、第２筐体内部の電子部品等に接続された接続端子に各々接続される。
【０００９】
このように、ケーブルアッセイは、複数のケーブルの集合体であることから、ＦＰＣよりも電磁シールドの効果が高いという利点がある。
【００１０】
しかしながら、携帯端末の防水対策という観点においては、ケーブルアッセイの使用には、次のような問題がある。図１３を参照しながら、この問題点について説明する。
【００１１】
図１３は、図１２に図示するケーブルアッセイの破線Ｘ１−Ｘ２間における断面図である。
【００１２】
図１３に図示するように、一般的なパッキング３３は、複数のケーブル３１を覆い束ねるように、樹脂等で形成されている。この樹脂等は、束ねられたケーブル３１の表面付近にしか付着せず、中心部まで浸透しないため、重なり合うケーブル３１の内側は樹脂で満たされていない。
【００１３】
両パッキング間のケーブルは、むき出しになっており、ケーブル３１の長手方向から水が侵入しやすく、水が重なり合うケーブル３１の内部を伝って筐体内部へ侵入するという不都合が生じる。
【００１４】
上述した特許文献１が開示する携帯端末には、防水対策が施されているが、２つの筐体の電子部品等を接続するＦＰＣやケーブルアッセイ等の防水対策については開示されていない。
【００１５】
本発明は、防水対策を施したケーブル集合体および防水対策を施した電子機器を提供することにある。
【課題を解決するための手段】
【００１６】
本発明の第１の観点のケーブル集合体は、少なくとも一本のケーブルが挿通された、少なくとも摺動性のチューブと、前記チューブの外装面を覆うように当該外装面に形成され、前記チューブと少なくとも２層構造を形成し、前記チューブよりも柔軟性の高い外装材とを有し、前記外装材で覆われた前記チューブの断面は、円形に形成されている。
【００１７】
好適には、前記外装材で覆われた前記チューブの一部に、前記チューブの長手方向に所定間隔をおいて形成された第１および第２のパッキングとを有し、前記第１および第２のパッキングは、取り付けの対象体に形成された孔部の形状に合致するように形成されている。
【００１８】
好適には、前記第１および第２のパッキングは、前記外装材と同種の素材で形成されている。
【００１９】
好適には、前記チューブは、前記ケーブルの表皮の素材と同種の素材で形成されている。
【００２０】
好適には、前記外装材で覆われた前記チューブは、前記第１および第２のパッキングの周辺部が扁平に形成されている。
【００２１】
本発明の第２の観点の電子機器は、取り付けの対象となる第１の孔部が形成され、電子部品が配置された第１の筐体と、取り付けの対象となる第２の孔部が形成され、電子部品が配置された第２の筐体と、一端が前記第１の孔部を介して前記第１の筐体の電子部品に接続され、他端が前記第２の孔部を介して前記第２の筐体の電子部品に接続されたケーブル集合体とを有し、前記ケーブル集合体は、少なくとも一本のケーブルが挿通された、少なくとも摺動性のチューブと、前記チューブの外装面を覆うように当該外装面に形成され、前記チューブと少なくとも２層構造を形成し、前記チューブよりも柔軟性の高い外装材とを有し、前記外装材で覆われた前記チューブの断面は、円形に形成されている。
【発明の効果】
【００２２】
本発明によれば、防水対策を施したケーブル集合体および防水対策を施した電子機器を提供することができる。
【発明を実施するための最良の形態】
【００２３】
以下、本発明の実施形態を図面に関連付けて説明する。
【００２４】
図１は、本発明の実施形態に係るケーブル集合体としてのケーブルアッセイを採用した携帯端末の外観例を示す斜視図である。
【００２５】
図１（Ａ）は、２つの筐体が開いた開状態の斜視図、図１（Ｂ）は２つの筐体が閉じた閉状態の斜視図である。何れの図も携帯端末の正面方向からの斜視図である。
【００２６】
図１（Ａ），（Ｂ）に図示するように、携帯端末１は、第１筐体１０および第２筐体１１を有する折りたたみ型の携帯端末である。電子機器としての携帯端末１は、本実施形態においては携帯電話機であるが、たとえばＰＨＳ（Personal Handy phone System）等の携帯端末であってもよい。
【００２７】
第１筐体１０および第２筐体１１は、たとえば絶縁性の樹脂によって、各々がほぼ薄型直方体に形成されている。閉状態では、一方の筐体側から他方の筐体側を見たときに互いの輪郭が略一致する（図１（Ｂ）参照）。
【００２８】
第１筐体１０および第２筐体１１は、第１筐体１０の正面１０Ｆと第２筐体１１の正面１１Ｆとが互いに向き合うことができるように、ヒンジ部１２によって連結されている。これにより、第１筐体１０および第２筐体１１の開閉が可能となる。
【００２９】
第１筐体１０の正面１０Ｆには、ダイヤルキー、方向キー、決定キー等の操作部１３が配置されている。操作部１３の下方には、マイクロフォン用の開口１４ｃが設けられている。開口１４ｃが設けられた第１筐体１０内部には、マイクロフォン１４ｂ（図１１参照）が配置されている。
【００３０】
第２筐体１１の正面１１Ｆには、たとえば液晶表示パネルや有機ＥＬ（Electro-Luminescence）パネル等による表示部１５が配置されている。表示部１５の上方には、スピーカ用の開口１４ｄが設けられている。開口１４ｄが設けられて第２筐体１１内部には、スピーカ１４ａ（図１１参照）が配置されている。
【００３１】
第１筐体１０を例に挙げて、第１筐体１０内部の構成について説明する。
【００３２】
図２は、図１に図示する第１筐体の分解斜視図である。
【００３３】
第１筐体１０は、図２に図示するように、複数の部品によって構成されている。詳細には、回路基板１０１ａは、リアケース１０２とフロントケース１０３との間に格納されている。両ケースは、ネジによる接合、あるいは嵌合用の爪などによる嵌合によって、密閉されている。
【００３４】
回路基板１０１ａには、ＣＰＵやメモリ等の複数の電子部品１０４が装着され、内部アンテナ等の配線パターン（不図示）がプリントされている。回路基板１０１ａには、後述するケーブルアッセイ２のコネクタを接続するための接続部１０５ａが配置されている。
【００３５】
接続部１０５ａは、後述するケーブルアッセイのコネクタ（図３参照）の形状に適合した接続端子であって、回路基板１０１ａ上の配線によって電子部品１０４と接続されている。
【００３６】
バッテリ１０６は、たとえばリチウムイオン電池の充電電池である。バッテリ１０６は、リアケース１０２のバッテリ収納用孔部１０７に収納され、バッテリリッド１０９によって密閉されている。収納されたバッテリ１０６のコネクタ（不図示）は、リアケース１０２のバッテリ接続端子１０８に接続されている。バッテリ１０６は、外部電源（不図示）から電力が供給されることによって充電され、充電された電力を電子部品１０４を始めとする種々の電子部品１０４に供給する。
【００３７】
フロントケース１０３の側面１０３Ｓａには、第１の孔部１１０ａがヒンジ部１２（不図示）と接する位置に形成されている。第１の孔部１１０ａの形状は、本実施形態においては、四隅の角が取れた略長方形状に形成されている。
【００３８】
第２筐体１１も第１筐体１０と同様に、リアケースおよびフロントケースを有し、両ケースは密閉されている。第２筐体１１にも、複数の電子部品１０４や接続部１０５ｂが装着された回路基板１０１ｂ（図５参照）が、内包されている。
【００３９】
上述したように、第１および第２筐体１０，１１は、防水対策のため密閉構造を採っている。回路基板１０１ａの電子部品１０４と回路基板１０１ｂの電子部品１０４とは、ケーブルアッセイによって電気的に接続されている。以下に、このケーブルアッセイについて説明する。
【００４０】
図３は、本発明の実施形態に係るケーブルアッセイの構成例を示す外観斜視図である。
図４は、図３に図示するケーブルアッセイのＸ１−Ｘ２間の断面図である。
【００４１】
図３に図示するように、ケーブルアッセイ２は、複数のケーブル２１、チューブ２２、外装材２３（図４参照）、第１のパッキング２４ａ、第２のパッキング２４ｂ、第１のコネクタ２５ａ、および第２のコネクタ２５ｂを有する。なお、ケーブルアッセイ２は、本発明のケーブル集合体に対応する。
【００４２】
始めに、図４の断面図を参照しながら、第１のパッキング２４ａを横切るＸ１−Ｘ２間におけるケーブルアッセイ２について説明する。
【００４３】
各ケーブル２１は、たとえばノイズに強い同軸線であって、接続先の電子部品１０４等から種々の電気信号が第１、第２のコネクタ２５ａ、２５ｂを介して印加される。各ケーブル２１の表皮は、たとえば、ポリテトラフルオロエチレン、ナイロン（ナイロン6、ナイロン6,6、ナイロン46、ナイロンMXD6を含むポリアミド系樹脂）等の絶縁性の素材によって形成されている。
【００４４】
チューブ２２は、たとえばポリテトラフルオロエチレン、ナイロン（ナイロン6、ナイロン6,6、ナイロン46、ナイロンMXD6を含むポリアミド系樹脂）等の絶縁性、防水性およびケーブルに対しての摺動性に優れる素材によって、チューブ状に形成されている。このチューブ２２内部には、複数のケーブル２１が挿通されている。ケーブル２１の本数は、本実施形態においては、５０本程度である。
【００４５】
チューブ２２の素材にポリテトラフルオロエチレンやナイロン（ナイロン6、ナイロン6,6、ナイロン46、ナイロンMXD6を含むポリアミド系樹脂）等の素材を使用する理由としては、防水性の確保に加え、チューブ２２の内壁と、この内壁近傍のケーブル２１との摩擦を低減させるためである。したがって、チューブ２２の素材には、摺動性の高い素材を用いることが望ましい。
【００４６】
チューブ２２の素材は、ケーブル２１の表皮と同種の素材である。チューブ２２とケーブル２１の素材の組み合わせとしては、ポリテトラフルオロエチレン同士の他、ポリテトラフルオロエチレンとナイロン等、種々の組み合わせが可能である。
【００４７】
チューブ２２の直径（内径）は、挿通させるケーブル２１の直径や本数に応じて好適に設定可能であり、本実施形態においては、３ｍｍ程度である。チューブ２２の厚さは、屈曲に耐える強度を確保することができ、防水が可能な厚さの範囲内で好適に設定可能であり、本実施形態においては、０．１ｍｍ程度である。
【００４８】
外装材２３は、チューブ２２の外装面を覆うように密着して形成されている。外装材２３には、ケーブルアッセイ２の使用上の観点から、屈曲追従性、第１および第２のパッキング２４ａ、２４ｂとの接着性、濡れ性だけでなく、第１および第２のパッキング２４ａ、２４ｂを扁平に形成するための柔軟性が要求される。
【００４９】
したがって、外装材２３には、たとえば、ポリウレタンエラストマー、ポリエステルエラストマー、ウレタンエラストマー等を含むエラストマーが好適に使用されている。
【００５０】
外装材２３の厚さは、防水の信頼性およびチューブ２２の耐久性を確保することが可能な範囲で好適に設定可能であり、本実施形態においては、およそ０．１〜０．５ｍｍである。
【００５１】
第１のパッキング２４ａは、防水性の高いポリアミド系樹脂等の樹脂によって、外装材２３でチューブ２２の一部を外装材２３の外部から挟み込むように密着して形成されている。第１のパッキング２４ａは、取り付けの対象となる第１筐体の第１の孔部１１０ａに合致（嵌合）できるように、第１の孔部１１０ａと同一の形状に形成されている。
【００５２】
第１のパッキング２４ａと外装材２３との素材の組み合わせとしては、ポリアミド系樹脂とシリコンゴム等、種々の組み合わせが可能であるが、その形成位置を固定するため、すなわち、第１のパッキング２４ａと外装材２３とのズレを防止するため、本実施形態においては、第１のパッキング２４ａには、外装材２３と同種の素材が用いられている。同種の素材とは、たとえば、ポリアミド系樹脂とポリアミド系樹脂、ポリアミド系樹脂とポリアミド系エラストマーを指す。このことは、ポリウレタン系やポリエステル系に対しても同様である。
【００５３】
なお、第２のパッキング２４ｂは、第１のパッキング２４ａと同一に形成されている。
【００５４】
上述した第１および第２のパッキング２４ａ、２４ｂに、外装材２３と同種のエラストマーを採用し、エラストマーを両パッキングとして外装材２３の外周に射出成形することによって、両者を水密に固定することができる。
【００５５】
第１のコネクタ２５ａは、第１筐体１０内部の接続部１０５ａと接続可能な電極をもつコネクタであって、第１のパッキング２４ａ側の各ケーブル２１と接続されている。
【００５６】
第２のコネクタ２５ｂも第１のコネクタ２５ａと同様に、第２筐体１１内部の接続部１０５ｂと接続可能な電極をもつコネクタであって、第２のパッキング２４ｂ側の各ケーブル２１と接続されている。
【００５７】
以上に詳解したケーブルアッセイ２は、図５に図示するように筐体に取り付けられる。
【００５８】
図５は、図１（Ｂ）に図示する携帯端末のＹ１−Ｙ２間における断面模式図である。ただし、バッテリ１０６等の部品が適宜省略されて図示されている。
【００５９】
図５に図示するように、第１筐体１０および第２筐体１１は、ヒンジ部１２に連結され、両筐体を開閉することができる。第１筐体１０内部には、回路基板１０１ａが格納され、第２筐体１１内部には、回路基板１０１ｂが格納されている。
【００６０】
第２筐体１１のフロントケースの側面１０３Ｓｂにも、図２に図示する第１筐体１０と同様に、第２の孔部１１０ｂが、ヒンジ部１２と接する位置に形成されている。
【００６１】
ケーブルアッセイ２の一端のコネクタ２５ａは、第１筐体１０内部の回路基板１０１ａに装着されている接続部１０５ａに接続されている。ケーブルアッセイ２のケーブル２１は、第１筐体１０の第１の孔部１０ａを通り、ヒンジカバー１２１で覆われたヒンジ部１２内部の空間を介して、第２筐体１１の第２の孔部１１０ｂを通っている。ケーブルアッセイ２の他端のコネクタ２５ｂは、第２筐体１１内部の回路基板１０１ｂに装着されている。
【００６２】
なお、第１の孔部１１０ａには、第１のパッキング２４ａが嵌合され、第２の孔部１１０ｂには、第２のパッキング２４ｂが嵌合されるが、図５にはその図示が省略されている。
【００６３】
このケーブルアッセイ２によって、回路基板１０１ａの電子部品１０４と回路基板１０１ｂの電子部品１０４とが電気的に接続され、両回路基板の電子部品間のデータ伝送が可能となる。
【００６４】
具体例を挙げれば、第１筐体１０に配置されたＣＰＵの処理データを第２筐体１１に配置された表示部１５に送り、表示部１５にデータの内容を表示させることができる。無論、第１筐体１０内部のバッテリ１０６（図２参照）の電力を第２筐体１１内部の各電子部品１０４に供給することもできる。
【００６５】
第１および第２のパッキング２４ａ、２４ｂは、チューブ２２の長手方向に所定間隔をおいて形成されている（図３参照）。第１および第２のパッキング２４ａ、２４ｂ間の間隔（距離）は、第１筐体１０の第１の孔部１１０ａと、第２筐体１１の第２の孔部１１０ｂとの配線距離に応じて好適に設定される。
【００６６】
第１のパッキング２４ａとコネクタ２５ａとの距離は、コネクタ２５ａの接続先である第１筐体１０内部の接続部１０５ａと、第１筐体１０の第１の孔部１１０ａとの距離に応じて好適に設定される。第２のパッキング２４ｂについても、第１のパッキング２４ａと同様である。
【００６７】
図６は、本発明の実施形態に係るケーブルアッセイが筐体に取り付けられた様子を示す外観斜視図である。ただし、図６には、ケーブルアッセイ２，および第１筐体１０のフロントケース１０３のみが図示されている。
【００６８】
第１のコネクタ２５ａは、第１筐体１０内部の接続部１０５ａ（不図示）に接続されている。第１のパッキング２４ａは、第１の孔部１１０ａと同一の形状に形成されているため、隙間ができることなく、第１の孔部１１０ａに嵌合している。
【００６９】
不図示ではあるが、第２のパッキング２４ｂも第１のパッキング２４ａと同様に、取り付けの対象となる第２筐体の第２の孔部１１０ｂと同一の形状に形成されているため、隙間ができることなく、第２の孔部１１０ｂに嵌合している。
【００７０】
本実施形態によれば、ケーブルアッセイ２は、少なくとも一本のケーブルが挿通されたチューブ２２と、チューブ２２の外装面を覆うように、チューブ２２と少なくとも２層構造を形成する外装材２３と、外装材２３で覆われたチューブ２２の一部に、チューブ２２の長手方向に所定間隔をおいて形成された第１および第２のパッキング２４ａ、２４ｂとを有する。
【００７１】
これにより、ケーブル２１の長手方向から第１および第２筐体１０，１１内部への水の侵入を防止することができるだけでなく、ケーブル２１自体が水に触れることを防止することもできる。
【００７２】
外装材２３は、柔軟性に優れたエラストマーで形成されているため、第１および第２のパッキング２４ａ、２４ｂの部分のみを扁平状に形成することができる。本実施形態では、ケーブルアッセイ２のコネクタ２５ａから第１のパッキング２４ａの手前までの領域で、その断面形状が扁平形状に形成されている。またケーブルアッセイ２のコネクタ２５ｂから第２のパッキング２４ｂの手前までの領域で、その断面形状が扁平形状に形成されている。このように、ケーブルアッセイ２の断面形状を扁平形状に形成することができるため、筐体の薄型化を実現することができる。
【００７３】
ケーブル２１は、チューブ２２と外装材２３とによって保護されるため、ケーブル２１が断線しにくく、屈曲に強いという利点がある。折りたたみ式の携帯端末は、何万回という開閉動作が行われることから、折りたたみ式の携帯端末には、本発明に係るケーブルアッセイが好適である。
【００７４】
第１および第２のパッキング２４ａ、２４ｂが、外装材２３と同種の素材で形成されているため、各パッキングと外装材２３とのズレを防止することができる。各パッキング２４ａ、２４ｂと外装材２３との密着面から水が侵入することを防止することができる。
【００７５】
チューブ２２が、ケーブル２１の表皮の素材と同種の素材で形成されていることから、ケーブル２１およびチューブ２２間の摩擦を最小限に抑え、両者の表皮の摩耗を抑えることができる。その結果、チューブ２２の破損を防止することができる。
【００７６】
（ケーブルアッセイ２の変形例）
ケーブルアッセイ２は、次のように構成することができる。
【００７７】
図７は、本発明に係るケーブルアッセイの変形例を示す外観斜視図である。
図８は、図７に図示するケーブルアッセイのＸ１−Ｘ２間の断面図である。
【００７８】
図７に図示するケーブルアッセイ２ａにおいて、外装材２３で覆われたチューブ２２は、第１のパッキング２４ａ周辺部が扁平状に形成されている。第２のパッキング２４ｂ周辺部についても同様である。
【００７９】
具体的には、ケーブルアッセイ２ａは、コネクタ２５ａから第１のパッキング２４ａを通過してその外側の領域まで、その断面形状を扁平形状に成してある。同様に、ケーブルアッセイ２ａは、コネクタ２５ｂから第２のパッキング２４ｂを通過してその外側の領域まで、その断面形状を扁平形状に成してある。これにより、筐体の薄型化を実現することができる。また、第１のパッキング２４ａと第２のパッキング２４ｂの間の領域では、ケーブルアッセイ２ａは、その断面形状を円形に成している。これにより、ねじれに強いケーブルアッセイ２ａが得られる。
【００８０】
図８に図示するＸ１−Ｘ２間において、外装材２３で覆われたチューブ２２は、略長方形状に形成されている。
【００８１】
これにより、第１および第２のパッキング２４ａ、２４ｂの厚さＡを、外装材２３で覆われたチューブ２２の厚さに合わせて薄くすることができると共に、第１および第２の孔部１１０ａ、１１０ｂの大きさも小さくすることができる。
【００８２】
このように、外装材２３で覆われたチューブ２２を、第１のパッキング２４ａ周辺部で扁平に形成することで、筐体の薄型化を実現することができる。
【００８３】
以上の実施形態において、チューブ２２の外装面は、外装材２３に密着するように覆われているが、チューブ２２の外装面と外装材２３とは、必ずしも密着する必要はない。
【００８４】
図９は、本発明の他実施形態に係るケーブルアッセイの断面図である。図９には、図３に図示するケーブルアッセイ２のＸ１−Ｘ２間に対応する断面図が図示されている。
【００８５】
図９に図示するように、チューブ２２と外装材２３との層間に空間ＳＰＣが生じていても、防水性および屈曲性は確保され、上述した効果を得ることができる。
【００８６】
この空間ＳＰＣに、外装材２３と同種の素材によって新たな層を形成し、多層構造にすることもできる。これにより、更なる防水性を得ることができる。
【００８７】
ところで、ＦＰＣ、特にチューブがＦＰＣのようにフラットなケーブルアッセイでは、チューブが屈曲すると、チューブの内側から外側への屈曲ストレスが発生しやすく、チューブをヒンジ内部でループさせる必要がある。
【００８８】
図１０は、一般的なケーブルアッセイのヒンジ部分の状態例を示す模式図である。図１０には、ヒンジカバー等の図示が省略されている。
【００８９】
図１０に図示するように、チューブ３１ａがフラットなケーブルアッセイでは、２つの筐体３４，３５の回路基板を接続する際に、ヒンジ３６内部でチューブ３１ａによるループ３７が形成されている。このループ３７は、２つの筐体３４，３５の開閉時にチューブ３１ａの内側から外側へ発生する屈曲ストレスを緩和するために形成されている。
【００９０】
しかし、本発明に係るケーブルアッセイによれば、第１および第２のパッキング２４ａ、２４ｂ間のチューブ２２の断面は円形である。したがって、本発明に係るケーブルアッセイは、屈曲ストレスが発生しにくく、図１０に図示するようなループを形成せずとも、屈曲に追従することができる。
【００９１】
図１に図示する携帯端末１は、図１１に図示するように構成されている。
【００９２】
図１１は、本発明の実施形態に係る携帯端末の構成例を示すブロック図である。図１１には、携帯端末１の主要部のみが図示されている。
【００９３】
携帯端末１は、操作部１３、音声入出力部１４、表示部１５、アンテナ１６、通信部１７、制御部１８、および記憶部１９を有する。
【００９４】
操作部１３は、たとえば電源キー、通話キー、数字キー、文字キー、方向キー、決定キー、発信キーなど各種機能が割り当てられた複数のキーを有する。操作部１３は、これらのキーがユーザによって操作された場合、その操作内容に対応する信号を発生し、これをユーザの指示として制御部１８に出力する。
【００９５】
音声入出力部１４は、マイクロフォン１４ｂから入力されたアナログの音声信号をデジタルの音声データに変換して制御部１８に出力するため、アナログの音声信号に対して、増幅、アナログ・デジタル（Ａ／Ｄ）変換、符号化等の処理を施す。
【００９６】
音声入出力部１４は、制御部１８から供給されたデジタルの音声データをスピーカ１４ａを介して出力するため、デジタルの音声データに対して、デジタル・アナログ（Ｄ／Ａ）変換、増幅等の信号処理を施す。
【００９７】
表示部１５は、制御部１８から供給された映像信号に応じた種々の情報を表示する。
【００９８】
アンテナ１６は、本実施形態においては内蔵型アンテナであって、所定の周波数帯域における電磁波を基地局に向けて送信、あるいは基地局から受信する。アンテナ１６は、ロッドアンテナであってもよい。
【００９９】
通信部１７は、制御部１８が出力した送信信号を所定の変調方式に変調し、変調した送信信号を電波信号としてアンテナ１６を介して送信する。通信部１７は、アンテナ１６を介して受信した電波信号を変調方式に対応した復調を行い、復調した信号を受信信号として制御部１８に出力する。
【０１００】
制御部１８は、ユーザによる操作部１３の操作に応じて、各種処理が適切な手順で実行されるように、携帯端末１の全般の動作を制御する。
【０１０１】
制御部１８が行う処理は、たとえば、ネットワークを介して行われる音声通話、電子メールやＷＥＢ閲覧をするためのアプリケーションの処理である。制御部１８が行う制御は、たとえば、通信部１７の制御、記憶部１９とのアクセス、表示部１５における画像の表示、音声入出力部１４における音声処理の制御である。
【０１０２】
記憶部１９は、たとえば不揮発性の記憶デバイス（フラッシュメモリ）やランダムアクセス可能な記憶デバイス（ＳＲＡＭ、ＤＲＡＭ）等で構成されている。
【０１０３】
制御部１８や記憶部１９等の構成要素は、電子部品１０４として、回路基板１０１ａ、１０１ｂの所定の位置に装着されている。このような構成によって、携帯端末１は、音声通信、電子メールの作成とその送受信、ＷＥＢサイト、種々のコンテンツデータの閲覧等を行うことができる。
【０１０４】
本実施形態においては、携帯端末に折りたたみ型の携帯電話機を適用させて説明したが、２つの筐体が相対的にスライドするスライド式の携帯電話機や、２つの筐体が所定方向に相対的に回転する回転型の携帯電話機等にも、本発明に係るケーブルアッセイを採用することができる。
【０１０５】
本発明に係るケーブルアッセイは、携帯端末の他、たとえば、２つの筐体を自在に開閉することができるＰＤＡ（Personal Digital Assistant）、ゲーム機、電子辞書等、あらゆる電子機器に適用可能である。
【図面の簡単な説明】
【０１０６】
【図１】本発明の実施形態に係るケーブルアッセイを採用した携帯端末の外観例を示す斜視図である。
【図２】図１に図示する第１筐体の分解斜視図である。
【図３】本発明の実施形態に係るケーブルアッセイの構成例を示す外観斜視図である。
【図４】図３に図示するケーブルアッセイのＸ１−Ｘ２間の断面図である。
【図５】図１（Ｂ）に図示する携帯端末のＹ１−Ｙ２間における断面模式図である。
【図６】本発明の実施形態に係るケーブルアッセイが筐体に取り付けられた様子を示す外観斜視図である。
【図７】本発明に係るケーブルアッセイの変形例を示す外観斜視図である。
【図８】図７に図示するケーブルアッセイのＸ１−Ｘ２間の断面図である。
【図９】本発明の他実施形態に係るケーブルアッセイの断面図である。
【図１０】一般的なケーブルアッセイのヒンジ部分の状態例を示す模式図である。
【図１１】本発明の実施形態に係る携帯端末の構成例を示すブロック図である。
【図１２】一般的なケーブルアッセイの外観例を示す斜視図である。
【図１３】図１２に図示するケーブルアッセイの破線Ｘ１−Ｘ２間における断面図である。
【符号の説明】
【０１０７】
１…携帯端末、１０…第１筐体、１１…第２筐体、１０Ｆ、１１Ｆ…正面、１０ａ…第１の孔部、１２…ヒンジ部、１３…操作部、１４…音声入出力部、１４ａ…スピーカ、１４ｂ…マイクロフォン、１４ｃ、１４ｄ…開口、１５…表示部、１６…アンテナ、１７…通信部、１８…制御部、１９…記憶部、１０１ａ、１０１ｂ…回路基板、１０２…リアケース、１０３…フロントケース、１０３Ｓａ、１０３Ｓｂ…側面、１０４…電子部品、１０５ａ、１０５ｂ…接続部、１０６…バッテリ、１０７…バッテリ収納用孔部、１０８…バッテリ接続端子、１０９…バッテリリッド、１１０ａ…第１の孔部、１１０ｂ…第２の孔部、１２１…ヒンジカバー、２…ケーブルアッセイ、２１…ケーブル、２２…チューブ、２３…外装材、２４ａ…第１のパッキング、２４ｂ…第２のパッキング、２５ａ…第１のコネクタ、２５ｂ…第２のコネクタ、ＳＰＣ…空間。
【図１】
2010073433.tif 000003
【図２】
2010073433.tif 000004
【図３】
2010073433.tif 000005
【図４】
2010073433.tif 000006
【図５】
2010073433.tif 000007
【図６】
2010073433.tif 000008
【図７】
2010073433.tif 000009
【図８】
2010073433.tif 000010
【図９】
2010073433.tif 000011
【図１０】
2010073433.tif 000012
【図１１】
2010073433.tif 000013
【図１２】
2010073433.tif 000014
【図１３】
2010073433.tif 000015